【事件の表示】
　特願２０１６−５３７９５１「内視鏡シースアーム」拒絶査定不服審判事件〔平成２７年　４月　２日国際公開、ＷＯ２０１５／０４７９９０、平成２８年　９月２３日国内公表、特表２０１６−５２９０３２〕について、次のとおり審決する。
【結　論】
　本件審判の請求は、成り立たない。
【理　由】
第１　手続の経緯
　本願は、２０１４年（平成２６年）９月２３日（パリ条約による優先権主張　２０１３年９月２６日　 米国）を国際出願日とする出願であって、平成２９年１月２５日付けで拒絶理由が通知され、同年４月２８日付けで意見書及び手続補正書が提出され、同年９月２６日付けで拒絶理由が通知され、同年１２月２８日付けで意見書及び手続補正書が提出され、平成３０年４月２７日付けで拒絶理由が通知され、同年７月３１日付けで意見書及び手続補正書が提出され、同年８月２３日付けで拒絶査定されたところ、同年１２月５日に拒絶査定不服審判の請求がなされ、同時に手続補正がなされたものである。
第２　平成３０年１２月５日にされた手続補正についての補正の却下の決定
［補正の却下の決定の結論］
　平成３０年１２月５日にされた手続補正（以下「本件補正」という。）を却下する。
［理由］
１　本件補正について
（１）本件補正後の特許請求の範囲の記載
　本件補正により、特許請求の範囲の請求項１の記載は、次のとおり補正された。（下線部は、補正箇所である。）
「　　【請求項１】
　内視鏡シースであって、
　（ａ）内視鏡のシャフトの全てまたは一部分を受けるように構成された管と、
　（ｂ）前記シースの近位端領域に付けられたかつ前記シースの近位端領域から延びるアームと
を備え、
　前記内視鏡が前記内視鏡の近位端領域にライトポストを含み、
　前記アームは、前記内視鏡に関して軸に関しておよび回転に関して前記シースを正しい位置に合わせるための前記ライトポストと連絡するものである一つ以上の特徴を有すると共に、
　前記一つ以上の特徴は、前記シースの回転に関する移動を防止するために前記内視鏡の前記ライトポストのまわりに少なくとも部分的に延びるソケットであると共に、前記ソケットは、前記内視鏡に相対的な前記内視鏡シースの軸に関する移動を防止するために前記内視鏡に対して前記シースを軸に関してロックすると共に、
　前記アームは、前記内視鏡の一部分を受けるカラーとして構成され、
　前記カラーは、前記ソケットが前記カラーの中へと延びると共に前記ライトポストの全てまたは一部分を受けるように構成されるように、前記ソケットを含むと共に、
　前記カラーは、前記内視鏡シースと前記内視鏡のショルダーとの間のシールを形成するＯリングを含むと共に、
　前記内視鏡シースは、ハブを含み、
　前記アームおよび前記管は、前記ハブに接続されると共に前記ハブから延び、
　前記ハブは、前記内視鏡シースを通じた流体の進入および退出を提供するポートを含む
と共に、
　前記カラーは、前記ハブに対して前記Ｏリングを留めるロッキングリングを含む、
　
内
（２）本件補正前の特許請求の範囲
　本件補正前の、平成３０年７月３１日にされた手続補正により補正された特許請求の範囲の請求項１及び５の記載は次のとおりである。
「　　【請求項１】
　内視鏡シースであって、
　（ａ）内視鏡のシャフトの全てまたは一部分を受けるように構成された管と、
　（ｂ）前記シースの近位端領域に付けられたかつ前記シースの近位端領域から延びるアームと
を備え、
　前記内視鏡が前記内視鏡の近位端領域にライトポストを含み、
　前記アームは、前記内視鏡に関して軸に関しておよび回転に関して前記シースを正しい位置に合わせるための前記ライトポストと連絡するものである一つ以上の特徴を有すると共に、
　前記一つ以上の特徴は、前記シースの回転に関する移動を防止するために前記内視鏡の前記ライトポストのまわりに少なくとも部分的に延びるソケットであると共に、前記ソケットは、前記内視鏡に相対的な前記内視鏡シースの軸に関する移動を防止するために前記内視鏡に対して前記シースを軸に関してロックすると共に、
　前記アームは、前記内視鏡の一部分を受けるカラーとして構成され、
　前記カラーは、前記ソケットが前記カラーの中へと延びると共に前記ライトポストの全てまたは一部分を受けるように構成されるように、前記ソケットを含むと共に、
　前記カラーは、前記内視鏡シースと前記内視鏡のショルダーとの間のシールを形成するＯリングを含む、
　内視鏡シース。」
「　　【請求項５】
　前記内視鏡シースは、ハブを含み、
　前記アームおよび前記管は、前記ハブに接続されると共に前記ハブから延び、
　前記ハブは、前記内視鏡シースを通じた流体の進入および退出を提供するポートを含む、
　請求項１から４までのいずれかの内視鏡シース。」
２　補正の適否
　本件補正は、本件補正前の請求項１に係る発明を引用する請求項５に係る発明の「前記カラー」に、「
前記カラーは、前記ハブに対して前記Ｏリングを留めるロッキングリングを含む
　そこで、本件補正後の請求項１に記載される発明（以下「本件補正発明」という。）が同条第６項において準用する同法第１２６条第７項の規定に適合するか（特許出願の際独立して特許を受けることができるものであるか）について、以下、検討する。
（１）本件補正発明
　本件補正発明は、上記１（１）に記載したとおりのものである。
（２）引用文献の記載事項
ア　引用文献１
（ア）引用文献１に記載された事項
　原査定の拒絶の理由で引用された本願の優先日前に頒布された又は電気通信回線を通じて公衆に利用可能となった引用文献である、米国特許第７８１１２２８号明細書（以下「引用文献１」という。）には、図面とともに、次の記載がある。（下線は当審において付与した。以下同様）
（引１ａ）「   A disposable sheath incorporating one embodiment of the invention is generally indicated by the reference number 10 in FIG. 1. 
The sheath 10 includes
 sleeve member 12
　　Proximal sleeve section 12a is joined to an end portion 14 of a sleeve housing 16 that is preferably formed of a plastic such as acrylonitrile-butadiene-styrene. The sleeve housing 16 includes 
a collar portion 18 with a depending body portion 20
of the sheath 10
　　
A recess 24 in the collar portion 18 communicates with a bore 26 in the body portion 20
the recess 24 is adapted to receive a housing 32 of an endoscope 34. A shaft 36 of the endoscope 34 is insertable in the bore 26 and in the hollow interior 28 of the sleeve member 12. The recess 24 can be of any shape that complements the shape of the endoscope housing 32
　　
The collar portion 18 further includes an upwardly extending yoke member 42 with a mouth 44 for securely holding the endoscope housing light port 46 to prevent rotation of the shaft 36 within sleeve member 12.
　　
An irrigation fitting 50 joined to the collar portion 18 supports an irrigation tube 52. The tube 52 communicates with the bore 26 in the body portion 20 through a fluid passage 54 in the collar portion 18. An O-ring 58 in the collar portion 18 is adapted to surround the endoscope shaft 36 to prevent fluid regression from the bore 26 into the recess 24. 
シース１０は、
スリーブ部材１２を有する
　近位スリーブ部１２ａは、好ましくはアクリロニトリルブタジエンスチレンのような樹脂で成形されたスリーブハウジング１６の末端１４に接続される。スリーブハウジング１６は、
シース１０
は、本体部分２０と
カラー部１８を含む
　
カラー部１８にある凹部２４は、スリーブ部材１２の中空内部２８
に接続した本体部２０の穴２６に接続する
凹部２４は、内視鏡３４のハウジング３２を受け入れるようになって
内視鏡３４のシャフト３６は、穴２６とスリーブ部材１２の中空内部２８に挿入可能である
凹部２４は、内視鏡のハウジング３２の形状を補完する形状である
　
カラー部１８は、スリーブ部材１２の中でシャフト３６の回転を防止するために、内視鏡のハウジングのライトポート４６をしっかりと保持するための開口４４を伴う上方に張り出したヨーク部材４２を含む
　
カラー部１８に接続した洗浄用部材５０が洗浄用チューブ５２を支持する。チューブ５２は、カラー部１８内の流動路５４を通して本体部２０の穴２６に接続する
カラー部１８内のＯリング５８は、凹部２４への穴２６からの逆流を防止するため、内視鏡シャフト３６のまわりに取り付けられ
（引１ｂ）「Referring to FIGS. 2 and 5 , the length of 
the endoscope shaft 36 is 
 from a terminal end 92 at the housing 32 to an opposite terminal end 94 at the distal end portion 38.
内視鏡シャフト３６
は、ハウジング３２の末端９２から遠位端部３８における反対側の末端９４まで
である
（引１ｃ）「
Irrigation fluid such as saline is pumped or pulsed
through the irrigation tube 52 to the fluid passage 54 and into the annular irrigation channel 86. 
　　　　　Before
 irrigation fluid in the irrigation channel 86 is expelled through the end opening 70
生理食塩水のような洗浄液が
洗浄チューブ５２を通して流動路５４へそして輪上の洗浄チャネル８６の中に
流され
　
洗浄チャネル８６の洗浄液は、末端開口７０を通して排出され
（引１ｄ）「The predetermined step-back of the endoscope tip 94 also facilitates suction removal of a fluid droplet from the endoscope viewing end 94. For example, in some instances a drop of irrigation fluid may be left at the viewing end 94 of the endoscope shaft 36 when a flush cycle is completed. Since a field of view is taken through the viewing end 94, the residual drop of irrigation fluid can impede vision through the endoscope. Thus a slight suction pulse at 
the irrigation tube 52 will draw the obscuring droplet of irrigation fluid back into the irrigation channel 86.
洗浄チューブ５２
は、視野を妨げる洗浄液の液滴を、洗浄チャネル８６の中に引き込む
（引１ｅ）「
　　　　　　　　　　　　　　　　　　　　　　　　　　　　　　　　　」
（イ）引用文献１に記載された発明
ａ　上記（引１ｅ）の図２より、上記（引１ｂ）の「ハウジング３２の末端９２」は、「凹部２４」の遠位端で「本体部２０」の「穴２６」に接している点が見て取れる。
ｂ　上記ａを踏まえれば、上記（ア）（引１ａ）〜（引１ｅ）より引用文献１には以下の発明（以下「引用発明」という。）が記載されている。
「シース１０は、スリーブ部材１２、本体部分２０と、カラー部１８とを有し、
　カラー部１８は、
　スリーブ部材１２の中空内部２８に接続した本体部２０の穴２６に接続し、内視鏡３４のハウジング３２を受け入れるようになっている、内視鏡のハウジング３２の形状を補完する形状である凹部２４と、
　スリーブ部材１２の中でシャフト３６の回転を防止するために、内視鏡のハウジングのライトポート４６をしっかりと保持するための開口４４を伴う上方に張り出したヨーク部材４２と、
　洗浄用チューブ５２を支持する洗浄用部材５０と、
　その内部に、凹部２４への穴２６からの逆流を防止するために、内視鏡シャフト３６のまわりに取り付けられたＯリング５８と、
を含み、
　内視鏡３４のシャフト３６は、穴２６とスリーブ部材１２の中空内部２８に挿入可能であり、
　チューブ５２は、カラー部１８内の流動路５４を通して本体部２０の穴２６に接続し、
　内視鏡シャフト３６は、ハウジング３２の末端９２から遠位端部３８における反対側の末端９４までであり、
　ハウジング３２の末端９２は、凹部２４の遠位端で本体部２０の穴２６に接しており、
　生理食塩水のような洗浄液が、洗浄チューブ５２を通して流動路５４へそして輪上の洗浄チャネル８６の中に流され、洗浄チャネル８６の洗浄液は、末端開口７０を通して排出され、
　洗浄チューブ５２は、視野を妨げる洗浄液の液滴を、洗浄チャネル８６の中に引き込むシース１０。」
イ　引用文献４及び５
（ア）引用文献４に記載された事項
　原査定の拒絶の理由で引用された本願の優先日前に頒布された又は電気通信回線を通じて公衆に利用可能となった引用文献である、特開２００７−１１７２８９号公報（以下「引用文献４」という。）には、図面とともに、次の記載がある。
（引４ａ）「【００６１】
　また、内視鏡２のライトガイドポスト２ｃは、シース本体部１ｃの一部を切り欠いて形成されるガイド溝１ｄに配置されるようになっている。このガイド溝１ｄには内視鏡固定機構であるライトガイドポストロックピン１ｅが同ガイド溝１ｄの内側面に向けて突没自在に配設されている。
【００６２】
　そして、内視鏡２の挿入部２ａが内視鏡用シース１のシース挿入部１ａの貫通孔１ｈに挿通され、同内視鏡２の先端面とワイパー部材１１の先端部１１ｃとが所定の力量で接触状態となる所定の位置に内視鏡２が配置されたとき、ライトガイドポスト２ｃはシース本体部１ｃのガイド溝１ｄ内の所定の位置に配置されるようになっている。このとき、ガイド溝１ｄ内の所定の部位にライトガイドポスト２ｃが配置された状態において、ライトガイドポストロックピン１ｅは、これに対応して形成されるライトガイドポスト２ｃ側の穴部（特に図示せず）に嵌入するようになっている。これによって、内視鏡用シース１に対して内視鏡２が固設された状態となり、両者は一体に、かつその状態が維持されるように構成されている。」
（引４ｂ）「図１
　　　　　　　　　　　　　　　　　　　　　　　　　　　　　　　　　」
（イ）引用文献５に記載された事項
　原査定の拒絶の理由で引用された本願の優先日前に頒布された又は電気通信回線を通じて公衆に利用可能となった引用文献である、実願昭６０−１０９７８３号（実開昭６２−１８１０１号）のマイクロフィルム（以下「引用文献５」という。）には、図面とともに、次の記載がある。
（引５ａ）「第５図は本考案の第２の実施例を示すものである。この実施例の保護カバー１は第１の実施例のものとほぼ同様であるが、次の点で異なる。まず、ライトガイド用口金５を挿入固定するための接続部材８の溝１３をＬ字形状に沿って形成し、その長手方向の幅をライトガイド用口金５の外径より広く形成する。さらに、円周方向に沿う方向の幅はライトガイド用口金５の外径よりわずかに狭く形成してある。そして、硬性鏡２を保護カバー１に挿入して行き、ライトガイド用口金５を溝１３の長手方向の部分に突き当るまで差し込み、突き当った後保護カバー１または硬性鏡２を回転してその溝１３の円周方向の部分にライトガイド用口金５を嵌め込んで固定する。この円周方向の部分はライトガイド用口金５の外径より狭く形成してあるため、確実に嵌込み固定され、簡単に外れることはない。」（５頁１４行〜６頁１０行）
（引５ｂ）「
　　　　　　　　　　　　　　　　　　　　　　　　　　　　　　　　　」
（３）引用発明との対比
ア　本件補正発明と引用発明とを対比する。
（ア）引用発明の「シース１０」、「内視鏡３４」及び「シャフト３６」は、それぞれ、本件補正発明の「内視鏡シース」、「内視鏡」及び「シャフト」に相当する。
（イ）引用発明の「スリーブ部材１２の中空内部２８」には、「内視鏡３４のシャフト３６」が挿入可能であるから、「内視鏡３４のシャフト３６」が挿入可能な「スリーブ部材１２」は、本件補正発明の「（ａ）内視鏡のシャフトの全てまたは一部分を受けるように構成された管」に相当する。
（ウ）引用発明の「カラー部１８」に含まれる「開口４４を伴う上方に張り出したヨーク部材４２」は、「シース１０」の近位端領域にあることは明らかであるから、本件補正発明の「（ｂ）前記シースの近位端領域に付けられたかつ前記シースの近位端領域から延びるアーム」に相当する。
（エ）引用発明の「内視鏡シャフト３６は、ハウジング３２の末端９２から遠位端部３８における反対側の末端９４までであ」ることから「内視鏡のハウジング」は、「内視鏡３４」の近位端領域にある。また、引用発明の「内視鏡のハウジングのライトポート４６」は、本件補正発明の「前記内視鏡の近位端領域にライトポスト」に相当するから、引用発明の「内視鏡３４」と、本件補正発明の「内視鏡」とは、「前記内視鏡が前記内視鏡の近位端領域にライトポストを含」んでいる点で一致する。
（オ）引用発明の「カラー部１８」にある「開口４４を伴う上方に張り出したヨーク部材４２」における「開口４４」は、「スリーブ部材１２の中でシャフト３６の回転を防止するために、内視鏡のハウジングのライトポート４６をしっかりと保持するための」ものであるから、引用発明の「開口４４」は、本件補正発明の「前記シースの回転に関する移動を防止するために前記内視鏡の前記ライトポストのまわりに少なくとも部分的に延びるソケット」に相当する。
　引用発明の「スリーブ部材１２の中でシャフト３６の回転を防止するために、内視鏡のハウジングのライトポート４６をしっかりと保持するための開口４４を伴う上方に張り出したヨーク部材４２」は、本件補正発明の「前記内視鏡に関して」「回転に関して前記シースを正しい位置に合わせるための前記ライトポストと連絡するものである一つ以上の特徴」及び「前記シースの回転に関する移動を防止するために前記内視鏡の前記ライトポストのまわりに少なくとも部分的に延びるソケットである」「前記一つ以上の特徴」を有するものに相当する。
　そして、引用発明の「カラー部１８」と、本件補正発明の「カラー」とは、「前記ライトポストの全てまたは一部分を受けるように構成されるように、前記ソケットを含む」点で一致する。
（カ）引用発明の「カラー部１８」に含まれる「凹部２４」は、「内視鏡３４のハウジング３２を受け入れるようになって」いることから、引用発明の「カラー部１８」にある「開口４４を伴う上方に張り出したヨーク部材４２」は、本件補正発明の「前記内視鏡の一部分を受けるカラーとして構成され」ている「アーム」に相当する。
（キ）引用発明の「ハウジング３２の末端９２」は、本件補正発明の「前記内視鏡のショルダー」に相当する。そして、引用発明の「ハウジング３２の末端９２」は、「凹部２４の遠位端で本体部２０の穴２６に接して」いるから、「カラー部１８」「の内部に、凹部２４への穴２６からの逆流を防止するために、内視鏡シャフト３６のまわりに取り付けられたＯリング５８」は、「シース１０」と「内視鏡３４」の「ハウジング３２の末端９２」との間にシールを形成するものであるといえるから、引用発明の「カラー部１８」と、本件補正発明の「カラー」とは、「前記内視鏡シースと前記内視鏡のショルダーとの間のシールを形成するＯリングを含む」点で一致する。
（ク）引用発明の「本体部２０」は、本件補正発明の「ハブ」に相当する。そして、引用発明の「カラー部１８は、スリーブ部材１２の中空内部２８に接続した本体部２０の穴２６に接続し」ていることから、引用発明の「カラー部１８」にある「ヨーク部材４２」と「スリーブ部材１２」は、「本体部２０」に接続されると共に「本体部２０」から延びているといえる。すると、引用発明と本件補正発明とは、「前記アームおよび前記管は、前記ハブに接続されると共に前記ハブから延び」ている点で一致する。
（ケ）引用発明の「洗浄用チューブ５２」は、「生理食塩水のような洗浄液」を「洗浄チャネル８６」に流し、また、「視野を妨げる洗浄液の液滴を、洗浄チャネル８６の中に引き込む」ものであるから、引用発明の「洗浄用チューブ５２を支持する洗浄用部材５０」は、本件補正発明の「前記内視鏡シースを通じた流体の進入および退出を提供するポート」に相当する。
イ　以上のことから、本件補正発明と引用発明との一致点及び相違点は、次のとおりである。
（一致点）「内視鏡シースであって、
　（ａ）内視鏡のシャフトの全てまたは一部分を受けるように構成された管と、
　（ｂ）前記シースの近位端領域に付けられたかつ前記シースの近位端領域から延びるアームと
を備え、
　前記内視鏡が前記内視鏡の近位端領域にライトポストを含み、
　前記アームは、前記内視鏡に関して回転に関して前記シースを正しい位置に合わせるための前記ライトポストと連絡するものである一つ以上の特徴を有すると共に、
　前記一つ以上の特徴は、前記シースの回転に関する移動を防止するために前記内視鏡の前記ライトポストのまわりに少なくとも部分的に延びるソケットであると共に、
　前記アームは、前記内視鏡の一部分を受けるカラーとして構成され、
　前記カラーは、前記ライトポストの全てまたは一部分を受けるように構成されるように、前記ソケットを含むと共に、
　前記カラーは、前記内視鏡シースと前記内視鏡のショルダーとの間のシールを形成するＯリングを含むと共に、
　前記内視鏡シースは、ハブを含み、
　前記アームおよび前記管は、前記ハブに接続されると共に前記ハブから延び、
　前記内視鏡シースを通じた流体の進入および退出を提供するポートを含む、
　内視鏡シース。」
（相違点１）アーム及びソケットが、本件補正発明は、前者について、前記内視鏡に関して「軸に関して」前記シースを正しい位置に合わせるための前記ライトポストと連絡するものであり、後者について、「内視鏡に相対的な前記内視鏡シースの軸に関する移動を防止するために前記内視鏡に対して前記シースを軸に関してロック」するものであって、「前記カラーの中へと延びる」ものであるという「一つ以上の特徴」を有するものであるのに対し、引用発明はそのような特定がない点。
（相違点２）前記内視鏡シースを通じた流体の進入および退出を提供するポートが、本件補正発明は「ハブ」に含まれるのに対し、引用発明は「カラー部１８」に含まれる点。
（相違点３）「カラー」が、本件補正発明は、「前記ハブに対して前記Ｏリングを留めるロッキングリングを含む」のに対し、引用発明はそのような特定がない点。
（４）判断
　以下、相違点について検討する。
ア　相違点１について
（ア）引用文献４及び５に記載された周知技術について
ａ　引用文献４に記載の「内視鏡用シース１」、「シース本体部１ｃ」、「ガイド溝１ｄ」、「内視鏡２」及び「ライトガイドポスト２ｃ」は、それぞれ、引用発明の「シース１０」、「カラー部１８」、「開口４４」、「内視鏡３４」及び「ライトポート４６」に相当する。
ｂ　引用文献４に記載された「ガイド溝１ｄ」は、「シース本体部１ｃの一部を切り欠いて形成され」たものであるから、「ガイド溝１ｄ」は「シース本体部１ｃ」の中に形成したものであるといえる。
　また、「内視鏡２のライトガイドポスト２ｃ」を「配置」し、「ライトガイドポスト２ｃ」が「シース本体部１ｃのガイド溝１ｄ内の所定の位置に配置され」たとき、「ガイド溝１ｄ内の所定の部位にライトガイドポスト２ｃが配置された状態において、ライトガイドポストロックピン１ｅは、これに対応して形成されるライトガイドポスト２ｃ側の穴部（特に図示せず）に嵌入する」ことによって、「内視鏡用シース１に対して内視鏡２が固設された状態」となるものであるから、引用文献４の「ライトガイドポストロックピン１ｅ」は、「内視鏡２」に関して軸に関して「内視鏡用シース１」を正しい位置に合わせるためのものであるといえる。
　そうすると、引用文献４の「ライトガイドポストロックピン１ｅ」を有する「シース本体部１ｃ」は、「内視鏡用２」に関して軸に関して「内視鏡用シース１」を正しい位置に合わせるための「ライトガイドポスト２ｃ」と連絡するものであり、「ライトガイドポストロックピン１ｅ」を有する「ガイド溝１ｄ」が、「内視鏡２」に相対的な「内視鏡用シース１」の軸に関する移動を防止するために「内視鏡２」に対して「内視鏡用シース１」を軸に関してロックするものであって、「ガイド溝１ｄ」が「シース本体部１ｃ」の中に形成されているという特徴を有しているといえる。
ｃ　引用文献５に記載された「保護カバー１」、「接続部材８」、「溝１３」、「硬性鏡２」及び「ライトガイド用口金５」は、それぞれ、引用発明の「シース１０」、「カラー部１８」、「開口４４」、「内視鏡３４」及び「ライトポート４６」に相当する。
ｄ　引用文献５に記載された「溝１３」は、「接続部材８」に「Ｌ字形状に沿って形成」されたものであるから、引用文献５の「溝１３」は、「接続部材８」の中に形成されたものであるといえる。
　また、引用文献５の「溝１３」は、「ライトガイド用口金５を挿入固定するためのものであって」、「硬性鏡２を保護カバー１に挿入して行き、ライトガイド用口金５を溝１３の長手方向の部分に突き当るまで差し込み、突き当った後保護カバー１または硬性鏡２を回転してその溝１３の円周方向の部分にライトガイド用口金５を嵌め込んで固定する」から、引用文献５の「Ｌ字形状に沿って形成」された「溝１３」は、「硬性鏡２」に関して軸に関して「保護カバー１」を正しい位置に合わせるための「ライトガイド用口金５」と連絡するものであるといえる。
　すると、引用文献５の「Ｌ字形状に沿って形成」された「溝１３」を有する「接続部材８」は、「硬性鏡２」に関して軸に関して「保護カバー１」を正しい位置に合わせるための「ライトガイド用口金５」と連絡するものであり、「Ｌ字形状に沿って形成」された「溝１３」が、「硬性鏡２」に相対的な「保護カバー１」の軸に関する移動を防止するために「硬性鏡２」に対して「保護カバー１」を軸に関してロックするものであって、「溝１３」が「接続部材８」の中に形成されているという特徴を有しているといえる。
ｅ　以上ａ〜ｄより、引用発明の「カラー部１８」にある「ヨーク部材４２」（本件補正発明における「アーム」）に対応するものが、「内視鏡３４」に関して軸に関して「シース１０」を正しい位置に合わせるための「ライトポート４６」と連絡するものであり、「開口４４」（本件補正発明における「ソケット」）が、「内視鏡３４」に相対的な「シース１０」の軸に関する移動を防止するために「内視鏡３４」に対して「シース１０」を軸に関してロックするものであって、「開口４４」が「カラー部１８」の中に形成されているという特徴有することは、周知の技術事項（以下「周知技術」という。）であるといえる。
（イ）判断
　「スリーブ部材１２の中でシャフト３６の回転を防止するために、内視鏡のハウジングのライトポート４６をしっかりと保持するための開口４４」を、どの位置にどのように形成するかは、使用する内視鏡の種類等に応じ適宜設定されるものであって、上記（ア）で検討したとおり、引用発明の「カラー部１８」にある「ヨーク部材４２」に対応するものが、「内視鏡３４」に関して軸に関して「シース１０」を正しい位置に合わせるための「ライトポート４６」と連絡するものであり、「開口４４」が、「内視鏡３４」に相対的な「シース１０」の軸に関する移動を防止するために「内視鏡３４」に対して「シース１０」を軸に関してロックするものであって、「開口４４」が「カラー部１８」にある「ヨーク部材４２」の中に形成されているという特徴有することは、周知の技術事項であるといえるから、上記周知技術を引用発明に適用し、上記相違点１に係る構成とすることは、当業者が容易に想到できたことである。
イ　相違点２について
　引用発明の「洗浄用チューブ５２を支持する洗浄用部材５０」は、「シース１０」の近位端領域にあれば良い程度のものであって、近位端領域にある「カラー部１８」及び「本体部分２０」のどちらに配置するかは、適宜選択されるものであるから、引用発明の「洗浄用チューブ５２を支持する洗浄用部材５０」を「本体部分２０」に含ませることは、当業者が容易に想到できたことである。
ウ　相違点３について
　Ｏリングを、Ｏリングを動かなくするためのロッキングリングと共に取り付けることは、当該技術分野において常套手段にすぎないから、引用発明において「カラー部分１８」が「本体部分２０」に対して「Ｏリング５８」を止めるロッキングリングを含むことは、当業者が容易に想到できたことである。
エ　効果に関して
　本件補正発明の奏する作用効果は、引用文献１、４及び５に記載された技術の奏する作用効果から予測される範囲内のものにすぎず、格別顕著なものということはできない。
オ　小括
　したがって、本件補正発明は、引用発明及び周知技術に基づいて、当業者が容易に発明をすることができたものであり、特許法２９条２項の規定により、特許出願の際独立して特許を受けることができないものである。
３　本件補正についてのむすび
　よって、本件補正は、特許法１７条の２第６項において準用する同法１２６条７項の規定に違反するので、同法１５９条１項の規定において読み替えて準用する同法５３条１項の規定により却下すべきものである。
　よって、上記補正の却下の決定の結論のとおり決定する。
第３　本願発明について
１　本願発明
　平成３０年１２月５日にされた手続補正は、上記のとおり却下されたので、本願の請求項に係る発明は、平成３０年７月３１日にされた手続補正により補正された特許請求の範囲の請求項１〜９に記載された事項により特定されるものであるところ、その請求項１に係る発明（以下「本願発明」という。）は、その請求項１に記載された事項により特定される、前記第２［理由］１（２）に記載のとおりのものである。
２　原査定の請求項１に係る発明に対する拒絶の理由
　原査定の拒絶の理由は、この出願の請求項１に係る発明は、本願の優先権主張の日前に頒布された又は電気通信回線を通じて公衆に利用可能となった下記の引用文献１に記載された発明及び引用文献３〜６に記載された事項に基づいて、その出願前にその発明の属する技術の分野における通常の知識を有する者が容易に発明をすることができたものであるから、特許法２９条２項の規定により特許を受けることができない、というものである。
引用文献１：米国特許第７８１１２２８号明細書
引用文献３：特開２０１２−２５４１８８号公報（周知技術を示す文献）
引用文献４：特開２００７−１１７２８９号公報（周知技術を示す文献）
引用文献５：実願昭６０−１０９７８３号（実開昭６２−１８１０１号）のマイクロフィルム（周知技術を示す文献）
引用文献６：特開平８−２４３０７１号公報（周知技術を示す文献）
３　引用文献
　原査定の拒絶の理由で引用された引用文献１及びその記載事項は、前記第２の［理由］２（２）アに記載したとおりである。
４　対比・判断
　本願発明は、前記第２の［理由］２で検討した本件補正発明から、「前記カラーは、前記ハブに対して前記Ｏリングを留めるロッキングリングを含む」との限定事項及び補正前の請求項５に係る発明の限定事項を削除したものである。
　そうすると、本願発明の発明特定事項を全て含み、さらに他の事項を付加したものに相当する本件補正発明が、前記第２の［理由］２（３）、（４）に記載したとおり、引用発明及び引用文献４及び５に記載された技術に基づいて、当業者が容易に発明をすることができたものであるから、本願発明も、引用発明及び引用文献４及び５に記載された技術に基づいて、当業者が容易に発明をすることができたものである。
第４　むすび
　以上のとおり、本願発明は、特許法２９条２項の規定により特許を受けることができないから、他の請求項に係る発明について検討するまでもなく、本願は拒絶されるべきものである。
　よって、結論のとおり審決する。